(57)【要約】【課題】小型で、プラグ保持力が大きく、耐久性の優れるプラグ保持部材と、これを収容したジャックを実現する。【解決手段】プラグ本体４０を挿入するためのジャック５０内の第２端部５１ｂ側には、プラグ保持部材７０が収容されている。プラグ保持部材７０は、少なくとも１ピッチを有するコイルばね部７１と、このコイルばね部７１の一端部が折り曲げられて形成された第１係合部７２と、そのコイルばね部７１の他端部が折り曲げられて形成された第２係合部７３と、を有している。第１係合部７２は、ジャック５０側の係止凹部５１ｆ内に挿入されて固定され、第２係合部７３は、ジャック５０側の係止壁５１ｇに係止されている。コイルばね部７１は、この中心に対して略直交する方向から、ピッチ間へ挿入されるプラグ本体４０の先端部であるチップ４１を、挿脱自在に挟持する構成になっている。【選択図】図１
2015138744.tif 000002
【特許請求の範囲】
【請求項１】
少なくとも１ピッチを有するコイルばね部と、
前記コイルばね部の一端部が折り曲げられて形成された第１係合部と、
前記コイルばね部の他端部が折り曲げられて形成された第２係合部と、
を有し、
前記コイルばね部は、前記コイルばね部の中心に対して略直交する方向から、前記ピッチ間へ挿入されるプラグ本体の先端部を、挿脱自在に挟持する構成になっていることを特徴とするプラグ保持部材。
【請求項２】
前記コイルばね部は、円形であることを特徴とする請求項１記載のプラグ保持部材。
【請求項３】
前記コイルばね部、前記第１係合部及び前記第２係合部は、ステンレス鋼線及びピアノ線を含むばね鋼線により形成されていることを特徴とする請求項１又は２記載のプラグ保持部材。
【請求項４】
前記プラグ本体の先端部は、括れを有するチップであることを特徴とする請求項１〜３のいずれか１項記載のプラグ保持部材。
【請求項５】
第１端部及び第２端部を有し、前記第１端部にプラグ挿入孔が形成された略筒状のジャック本体と、
前記ジャック本体内の前記第２端部側に収容された請求項１〜４のいずれか１項記載のプラグ保持部材と、
前記ジャック本体内に形成され、前記プラグ保持部材における前記第１係合部を係止するための第１係止部と、
前記ジャック本体内に形成され、前記プラグ保持部材における前記第２係合部を係止するための第２係止部と、
前記ジャック本体内に形成され、前記プラグ本体の導電部に対して電気的に接触する接触部と、
前記接触部に対して電気的に接続され、前記ジャック本体から露出する端子部と、
を備えることを特徴とするジャック。
【請求項６】
前記第１係止部又は前記第２係止部のうちの、いずれか一方は、係止凹部であり、いずれか他方は、係止壁であることを特徴とする請求項５記載のジャック。
【請求項７】
前記第１係止部及び前記第２係止部は、それぞれ、係止凹部であることを特徴とする請求項５記載のジャック。
【発明の詳細な説明】
【技術分野】
【０００１】
本発明は、挿入されるプラグ本体を保持するためのプラグ保持部材と、このプラグ保持部材を収容したジャックと、に関するものである。
【背景技術】
【０００２】
図４は、例えば、特許文献１〜４等に記載された従来のジャックの概略を示す断面部である。
【０００３】
図示しない配線コードの先端に取り付けられて使用するプラグ１としての例えば３極用単頭プラグは、ジャック２０に挿入することにより、これらのプラグ１とジャック２０とが電気的に接続される。
【０００４】
プラグ１は、略円柱状のプラグ本体１０と、このプラグ本体１０の端部に設けられた摘み１６と、を有している。プラグ本体１０は、この先端から摘み１６の方向へ配設されたチップ１１、絶縁カラー１２、リング１３、絶縁カラー１４、及びスリーブ１５を有している。導電部を構成するチップ１１、リング１３及びスリーブ１５は、それぞれ絶縁カラー１２，１４によって電気的に絶縁されている。チップ１１は、先端側に配置された頭部１１ａを有し、この頭部１１ａの後端側に、その頭部１１ａよりも外径の小さい括れ１１ｂを挟んで、この括れ１１ｂよりも外径の大きな鍔部１１ｃが形成されている。
【０００５】
ジャック２０は、略円筒状をなす絶縁性のジャック本体２１を有している。ジャック本体２１は、対向する第１端部及び第２端部を有し、この第１端部側に、プラグ挿入孔２１ａが形成されている。ジャック本体２１内の第２端部側から第１端部側の方向には、プラグ本体１０側のチップ１１を保持するプラグ保持部材２２と、リング１３及びスリーブ１５に対してそれぞれ電気的に接触する複数の接触子２３，２４と、が配設されている。
【０００６】
プラグ保持部材２２は、板ばね部材等により構成され、図４中の矢印方向の弾性力によってチップ１１の括れ１１ｂ部分を押圧することにより、プラグ本体１０を保持し、プラグ１の抜け出しを防止している。このプラグ保持部材２２は、チップ１１との電気的接続を行うために、導電性の部材により形成されることもある。各接触子２３，２４は、例えば、導電性のばね片等により形成されている。
【先行技術文献】
【特許文献】
【０００７】
【特許文献１】特開２０１１−１６５５５１号公報
【特許文献２】特開２０１２−４８８２６号公報
【特許文献３】特開２０１３−１１８１１４号公報
【特許文献４】特開２０１３−１３４８１１号公報
【発明の概要】
【発明が解決しようとする課題】
【０００８】
しかしながら、従来のプラグ保持部材２２を有するジャック２０では、次のような課題があった。
【０００９】
プラグ保持部２２は、板ばね部材等により構成され、この弾性力によってチップ１１の括れ１１ｂ部分を押圧することにより、プラグ本体１０を保持している。しかし、プラグ保持部材２２は、プラグ本体１０がプラグ挿入孔２１ａに対して挿脱される度に、チップ１１の頭部１１ａによって、上下に弾性変形し、これが頻繁に繰り返されると、板ばね部材等のばね性が劣化し、プラグ保持力が低下する。そのため、プラグ保持部材２２は、繰り返し負荷にも弱く、強度に弱い等、耐久性に劣るという欠点がある。
【００１０】
これを解決するために、プラグ保持部材２２の構造を堅牢にして耐久性の向上を図ることも行われている。しかし、構造を堅牢にしようとすると、プラグ保持部材２２の構造が複雑になって大型化し、ジャック２０の小型化が困難になるという不都合が生じる。
【００１１】
このように、従来の課題として、小型で、プラグ保持力が大きく、耐久性の優れるプラグ保持部材と、これを収容したジャックを実現することが困難であった。
【課題を解決するための手段】
【００１２】
本発明のプラグ保持部材は、少なくとも１ピッチを有するコイルばね部と、前記コイルばね部の一端部が折り曲げられて形成された第１係合部と、前記コイルばね部の他端部が折り曲げられて形成された第２係合部と、を有し、前記コイルばね部は、前記コイルばね部の中心に対して略直交する方向から、前記ピッチ間へ挿入されるプラグ本体の先端部を、挿脱自在に挟持する構成になっていることを特徴とする。
【００１３】
本発明のジャックは、第１端部及び第２端部を有し、前記第１端部にプラグ挿入孔が形成された略筒状のジャック本体と、前記ジャック本体内の前記第２端部側に収容された前記発明のプラグ保持部材と、前記ジャック本体内に形成され、前記プラグ保持部材における前記第１係合部を係止するための第１係止部と、前記ジャック本体内に形成され、前記プラグ保持部材における前記第２係合部を係止するための第２係止部と、前記ジャック本体内に形成され、前記プラグ本体の導電部に対して電気的に接触する接触部と、前記接触部に対して電気的に接続され、前記ジャック本体から露出する端子部と、を備えることを特徴とする。
【発明の効果】
【００１４】
本発明によれば、プラグ保持部材を構成している少なくとも１ピッチを有するコイルばね部は、この中心に対して略直交する方向から、ピッチ間へ挿入されるプラグ本体の先端部を、挿脱自在に挟持する構成になっている。そのため、小型で、プラグ保持力が大きく、耐久性の優れるプラグ保持部材と、これを収容したジャックを実現できる。
【図面の簡単な説明】
【００１５】
【図１】図１は本発明の実施例１におけるジャックの概略を示す構成図である。
【図２】図２は図１（ｂ）中のプラグ保持部を示す構成図である。
【図３】図３は図１（ｂ）中のプラグ保持部７０の作用を示す図である。
【図４】図４は従来のジャックの概略を示す断面部である。
【発明を実施するための形態】
【００１６】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１７】
（実施例１の構成）
図１（ａ）、（ｂ）は、本発明の実施例１におけるジャックの概略を示す構成図であり、同図（ａ）はその外観図、及び、同図（ｂ）は同図（ａ）の断面図である。更に、図２（ａ）、（ｂ）は、図１（ｂ）中のプラグ保持部を示す構成図であり、同図（ａ）はその斜視図、及び、同図（ｂ）は同図（ａ）の製造例を示す斜視図である。
【００１８】
図１（ａ）、（ｂ）及び図２（ａ）に示すように、図示しない配線コードの先端に取り付けられて使用するプラグ３０としての例えば４極用単頭プラグは、ジャック５０に挿入することにより、これらのプラグ３０とジャック５０とが電気的に接続される。
【００１９】
プラグ３０は、円柱状のプラグ本体４０と、このプラグ本体４０の端部に設けられた摘み４８と、を有している。プラグ本体４０は、この先端から摘み４８の方向へ配設された先端部としてのチップ４１と、絶縁カラー４２、リング４３、絶縁カラー４４、リング４５、絶縁カラー４６及びスリーブ４７と、を有している。導電部を構成するチップ４１、リング４３，４５及びスリーブ４７は、それぞれ絶縁カラー４２，４４，４６によって電気的に絶縁されている。チップ４１は、先端側に配置された頭部４１ａを有し、この頭部４１ａの後端側に、その頭部４１ａよりも外径の小さい括れ４１ｂを挟んで、この括れ４１ｂよりも外径の大きな鍔部４１ｃが形成されている。
【００２０】
ジャック５０は、略円筒状をなす絶縁性のジャック本体５１を有している。ジャック本体５１は、合掌状態に２分割された２分割構造をしており、合成樹脂等で形成されている。ジャック本体５１は、先端側の第１端部５１ａが開口され、後端側の第２端部５１ｂが閉塞されている。ジャック本体５１の外周面において、第１端部５１ａから中央部にかけて、第２端部５１ｂ側よりも外径の小さな円筒状の嵌入部５１ｃが形成されている。嵌入部５１ｃの外周には、２分割構造のジャック本体５１を合掌状態に結合するための円筒状の固定部材５２が嵌合されている。固定部材５２は、合成樹脂等で形成されている。
【００２１】
嵌入部５１ｃの内部には、プラグ本体４０が挿脱自在に挿入される円形孔状のプラグ挿入孔５１ｄが形成されている。プラグ挿入孔５１ｄ内の中央部から第２端部５１ｂ側寄りに、内側に突起した円環状の突起部５１ｅが形成されている。突起部５１ｅにおける第１端部５１ａ側の壁面は、挿入されたプラグ本体４０の鍔部４１ｃを係止する機能を有している。突起部５１ｅの第２端部５１ｂ側には、第１係止部としての係止凹部５１ｆが形成されている。突起部５１ｅの第２端部５１ｂ側の側面において、係止凹部５１ｆと対向する箇所は、第２係止部としての係止壁５１ｇの機能を有している。
【００２２】
係止凹部５１ｆ及び係止壁５１ｇから第２端部５１ｂ側に亘って、プラグ本体４０のチップ４１等を収容するための円形穴状の収容部５１ｈが形成されている。第２端部５１ｂの閉塞箇所には、円板状のセパレータ５３を嵌入するための円形の嵌入凹部５１ｉが形成されている。セパレータ５３は、合成樹脂等の絶縁部材により構成されている。
【００２３】
収容部５１ｈ内には、プラグ本体４０のチップ４１に対して電気的に接触する接触部としての導電性の板ばね状の接触子６１が設けられている。この接触子６１には、第２端部５１ｂ側の閉塞箇所を貫通して、セパレータ５３内から外部へ突出する端子部６１ａが接続されている。
【００２４】
プラグ挿入孔５１ｄ内には、この内壁面に沿って突起部５１ｅから第１端部５１ａの方向へ、プラグ本体４０のリング４３に対して電気的に接触する接触子６２と、リング４５に対して電気的に接触する接触子６３と、スリーブ４７に対して電気的に接触する接触子６４と、が配設されている。これらの接触部としての接触子６２，６３，６４は、導電性のばね片等により形成されている。各接触子６２，６３，６４には、ジャック本体５１内を通ってセパレータ５３内から外部へ突出する端子部６２ａ，６３ａ，６４ａがそれぞれ接続されている。
【００２５】
収容部５１ｈ内には、更に、プラグ挿入孔５１ｄに挿入されるプラグ本体４０を保持するためのプラグ保持部材７０が収容されている。
【００２６】
プラグ保持部材７０は、コイルばね部７１と、このコイルばね部７１の一端部が折り曲げられて形成された第１係合部７２と、コイルばね部７１の他端部が折り曲げられて形成された第２係合部７３と、を有している。コイルばね部７１の中央部７１ａ側は、収容部５１ｈ内の第２端部５１ｂ側に配置され、第１係合部７２が、係止凹部５１ｆに挿入されて固定され、更に、第２係合部７３が、係止壁５１ｇに接触している。そして、コイルばね部７１は、このコイルばね部７１の中心に対して略直交する方向から、ピッチＰ間へ挿入されるプラグ本体４０のチップ４１を、挿脱自在に挟持する構成になっている。
【００２７】
コイルばね部７１は、２ピッチ等の複数ピッチを有していても良いが、取り扱いの容易さ、小型化、ばね材料の低コスト化等の点から、図２（ａ）に示すような１ピッチが好ましい。コイルばね部７１の形状としては、円形、楕円形等の種々の形状を採用できるが、製造や取り扱いの容易さ等の点から、円形が好ましい。プラグ保持部材７０は、種々のばね部材により形成できるが、プラグ保持力や耐久性等の点から、ステンレス鋼線、ピアノ線等のばね鋼線により形成することが好ましい。第１係合部７２及び第２係合部７３の折り曲げ形状としては、種々の形状を採用できるが、製造や取り扱いの容易さ等の点から、略Ｌ字形が好ましい。
【００２８】
図２（ｂ）に示すように、プラグ保持部材７０は、例えば、次のようにして製造される。
複数のピッチＰを有する円形のコイルばね８０を用意し、このコイルばね８０を１ピッチＰよりも長めに切断してコイルばね部７１を作成する。そして、治具を用い、コイルばね部７１の両端部を略Ｌ字形に折り曲げて、第１係合部７２及び第２係合部７３を形成すれば、図２（ａ）のプラグ保持部材７０が完成する。
【００２９】
（実施例１のジャックの製造例）
図１及び図２に示すように、予め、複数の接触子６１〜６４と、これらに接続された複数の端子部６１ａ〜６４ａと、を円板状のセパレータ５３に貫通して装着しておく。更に、プラグ保持部材７０も作成しておく。
【００３０】
２分割構造のジャック本体５１を２つに分離する。複数の接触子６１〜６４及び複数の端子部６１ａ〜６４ａが装着されたセパレータ５３を、分離した一方のジャック本体側の嵌入凹部５１ｉに嵌入して装着する。
【００３１】
プラグ保持部材７０を、その一方のジャック本体側の収容部５１ｈに挿入し、このプラグ保持部材７０の第１係合部７２をジャック本体側の係止凹部５１ｆに差し込んで固定すると共に、第２係合部７３を係止壁５１ｇに接触させる。
【００３２】
そして、他方のジャック本体側を一方のジャック本体側に合掌状態に接合した後、固定部材５２を、ジャック本体５１側の嵌入部５１ｃの外周に被せて装着すれば、２分割された２つのジャック本体側が結合され、ジャック５０の製造が完了する。
【００３３】
（実施例１のジャックの使用例）
図１において、使用者は、手でプラグ３０の摘み４８を把持し、プラグ本体４０をジャック本体５１のプラグ挿入孔５１ｄへ押し込む。すると、そのプラグ本体４０のチップ４１が、ジャック本体５１内のプラグ保持部材７０へ圧入されると共に、そのチップ４１における鍔部４１ｃの先端面がジャック本体５１内の突起部５１ｅに当接し、プラグ本体４０がジャック５０内に挿着される。
【００３４】
これにより、ジャック５０側の複数の接触子６１，６２，６３，６４と、プラグ本体４０側のチップ４１、リング４３，４５及びスリーブ４７と、がそれぞれ接触して、プラグ３０とジャック５０とが電気的に接続される。
【００３５】
図３（ａ）〜（ｃ）は、図１（ｂ）中のプラグ保持部７０の作用を示す図であり、同図（ａ）はプラグ本体４０側のチップ４１がプラグ保持部７０へ圧入される前の状態の図、同図（ｂ）はチップ４１がプラグ保持部７０へ圧入される際の状態の図、及び、同図（ｃ）はチップ４１がプラグ保持部７０へ圧入された後の状態の図である。
【００３６】
プラグ保持部材７０は、第１係合部７２が、係止凹部５１ｆに固定され、第２係合部７３が、係止壁５１ｇに係止されている。図３（ａ）に示すように、プラグ本体４０のチップ４１は、プラグ保持部材７０の第１係合部７２と第２係合部７３との間から、コイルばね部７１の中央部７１ａへ向かって、矢印の水平方向Ｘへ押し込まれて行く。
【００３７】
図３（ｂ）に示すように、水平方向Ｘへ移動するチップ４１の頭部４１ａが、コイルばね部７１の内側へ接触し、このコイルばね部７１の内側が水平方向Ｘへ押圧される。すると、コイルばね部７１は、この中央部７１ａを基準にして、水平方向Ｘに対して直交する矢印の垂直方向（即ち、コイルばね部７１の中心の上下方向）Ｙ１ａ，Ｙ２ａへ、捻り応力を受けて広がって行く。
【００３８】
図３（ｃ）に示すように、チップ４１が更に水平方向Ｘへ押圧されると、コイルばね部７１がチップ４１の頭部４１ａを乗り越えて捻れ４１ｂへと移動する。コイルばね部７１が頭部４１ａを乗り越える際に、例えば、「パチン」という装着音が発生する。コイルばね部７１が頭部４１ａを乗り越えると、このコイルばね部７１には、中央部７１ａを基準にして、上下方向Ｙ１ａ，Ｙ２ａとは逆の下上方向Ｙ１ｂ，Ｙ２ｂへの復元力が働き、コイルばね部７１の内側が狭まる。これより、チップ４１の捻れ４１ｂ部分が、コイルばね部７１によって挟持され、大きなプラグ保持力によってプラグ本体４０が確実、且つ堅固に保持される。
【００３９】
又、プラグ保持部材７０からプラグ本体４０を引き抜く場合、プラグ本体４０のチップ４１が、前記の水平方向Ｘとは逆の方向に移動し、前記とは逆に、図３（ｃ）、図３（ｂ）及び図３（ａ）の過程を経て、プラグ保持部材７０から引き抜かれる。
このように、プラグ保持部材７０に対してプラグ本体４０を挿脱する場合、コイルばね部７１がチップ４１の頭部４１ａを乗り越える。この際、コイルばね部７１は、この中央部７１ａを基準にした上下方向Ｙ１ａ，Ｙ２ａへの捻り応力と下上方向Ｙ１ｂ、Ｙ２ｂへの復元力とにより、コイルばね部７１の内側が上下に広がったり、狭まったりする。この時受ける力は、コイルばね部７１の全体に均等に掛かって応力が分散されるので、応力の集中に起因する金属疲労によるプラグ保持部材７０のばね性の劣化とプラグ保持力の低下を抑制でき、耐久性に優れている。
【００４０】
（実施例１の効果）
本実施例１によれば、プラグ保持部材７０を構成している少なくとも１ピッチＰを有する円形のコイルばね部７１は、この中心に対して略直交する方向から、ピッチＰ間へ挿入されるプラグ本体４０のチップ４１を、挿脱自在に挟持する構成になっている。そのため、構造が簡単であるので小型化が容易で、且つ、プラグ保持力が大きく、耐久性の優れるプラグ保持部材７０と、これを収容したジャック５０を実現できる。
【００４１】
（変形例）
本発明は、上記実施例１に限定されず、種々の利用形態や変形が可能である。この利用形態や変形例としては、例えば、次の（ａ）〜（ｃ）のようなものがある。
【００４２】
（ａ）  プラグ保持部材７０は、プラグ３０として４極用単頭プラグのプラグ本体４０を保持する構成の例で説明したが、１極、２極、３極等の他の極数の単頭プラグのプラグ本体を保持することも可能である。又、プラグ保持部材７０は、単頭プラグの先端部としてチップ４１を保持する構成の例について説明したが、単頭プラグ以外の他のプラグの先端部（例えば、単純な円柱形状、方形平板形状等）を保持することも可能である。
【００４３】
（ｂ）  ジャック５０は、プラグ保持部材７０以外の構成を、図１以外の構成に変更しても良い。例えば、係止壁５１ｇは、係止凹部５１ｆと同様の構成に変更しても良く、これにより、実施例１と略同様の作用効果を奏することができる。
【００４４】
（ｃ）  ジャック５０内の接触子６１〜６４及び端子部６１ａ〜６４ａの形状、配線構造、取り付け位置等は、図１以外の構成に変更しても良い。例えば、チップ４１に対して電気的に接触する接触子６１は、必要が無ければ、削除しても良い。
【符号の説明】
【００４５】
３０      プラグ
４０      プラグ本体
４１      チップ
４１ａ      頭部
４１ｂ      括れ
４１ｃ      鍔部
５０      ジャック
５１      ジャック本体
５１ｄ      プラグ挿入孔
５１ｅ      突起部
５１ｆ      係止凹部
５１ｇ      係止壁
７０      プラグ保持部材
７１      コイルばね部
７２，７３      第１、第２係合部
７１ａ      中央部
８０      コイルばね
【図１】
2015138744.tif 000003
【図２】
2015138744.tif 000004
【図３】
2015138744.tif 000005
【図４】
2015138744.tif 000006